(57)【要約】【課題】受電時に、受電装置に設けられた電気機器が、受電コイルの周囲に形成される電磁界から受ける影響を抑制することができる受電装置を提供する。【解決手段】受電装置は、コイル４０と、コイル４０に電気的に接続された電気ユニット６と、コイル４０と隣り合うように配置されると共に、電気ユニット６が収容された金属ケースとを備える。上記電気ユニット６は、少なくとも１つの能動素子を含む。上記金属ケースは、コイル４０と隣り合う内側壁６６と、内側壁６６に対してコイル４０と反対側に位置する外側壁６５とを含む。上記能動素子の少なくとも１つは、内側壁６６よりも外側壁６５に近い位置に設けられる。【選択図】図５
2018093690.tif 000002
【特許請求の範囲】
【請求項１】
コイルと、
前記コイルに電気的に接続された電気ユニットと、
前記コイルと隣り合うように配置されると共に、前記電気ユニットが収容された金属ケースと、
を備え、
前記電気ユニットは、少なくとも１つの能動素子を含み、
前記金属ケースは、前記コイルと隣り合う内側壁と、前記内側壁に対して前記コイルと反対側に位置する外側壁とを含み、
前記能動素子の少なくとも１つは、前記内側壁よりも前記外側壁に近い位置に設けられた、受電装置。
【請求項２】
コイル線を巻回することで形成されており、中空状に形成されたコイルと、
前記コイルが配置されるフェライト板と、
前記コイルに電気的に接続された電気ユニットと、
前記コイルと隣り合うように配置されると共に、前記電気ユニットが収容された金属ケースと、
を備え、
前記電気ユニットは、少なくとも１つの能動素子を含み、
前記フェライト板は、前記コイルが配置されるコイル載置面を含み、
前記フェライト板の外周縁部には切欠部が形成されており、
前記コイル線が延びる方向における前記切欠部の幅は、前記コイルの内周縁部側から前記コイルの外周縁部側に向かうにつれて大きくなるように形成されており、
前記能動素子の少なくとも１つは、前記金属ケース内のうち、前記切欠部に対して隣り合う隣接領域内に配置された、受電装置。
【請求項３】
前記電気ユニットは、前記コイルに接続されたフィルタコイルを含むフィルタと、第１電力線および第２電力線によって前記フィルタに電気的に接続された整流器と、前記第１電力線および前記第２電力線に電気的に接続された保護回路と、前記整流器に電気的に接続された変換器とを含み、
前記保護回路は、前記第１電力線および前記第２電力線を電気的に接続した状態と、前記第１電力線および前記第２電力線の電気的な接続を切断した状態とを切替え、
前記保護回路の駆動を制御する保護制御部と、前記変換器の駆動を制御する変換器制御部とをさらに備え、
前記変換器制御部および前記フィルタコイルの間の距離は、前記保護制御部および前記フィルタコイルの間の距離よりも長い、請求項１または請求項２に記載の受電装置。
【請求項４】
コイルと、
前記コイルに電気的に接続された電気ユニットと、
前記コイルと隣り合うように配置されると共に、前記電気ユニットが収容された金属ケースと、
を備え、
前記電気ユニットは、少なくとも１つの能動素子を含み、
前記金属ケースは、前記コイルと隣り合う内側壁と、前記内側壁に対して前記コイルと反対側に位置する外側壁とを含み、
前記能動素子の少なくとも１つは、前記内側壁よりも前記外側壁に近い位置に設けられた、送電装置。
【請求項５】
コイル線を巻回することで形成されており、中空状に形成されたコイルと、
前記コイルが配置されるフェライト板と、
前記コイルに電気的に接続された電気ユニットと、
前記コイルと隣り合うように配置されると共に、前記電気ユニットが収容された金属ケースと、
を備え、
前記電気ユニットは、少なくとも１つの能動素子を含み、
前記フェライト板は、前記コイルが配置されるコイル載置面を含み、
前記フェライト板の外周縁部には切欠部が形成されており、
前記コイル線が延びる方向における前記切欠部の幅は、前記コイルの内周縁部側から前記コイルの外周縁部側に向かうにつれて大きくなるように形成されており、
前記能動素子の少なくとも１つは、前記金属ケース内のうち、前記切欠部に対して隣り合う隣接領域内に配置された、送電装置。
【請求項６】
前記電気ユニットは、前記コイルに接続されたフィルタコイルを含むフィルタと、第１電力線および第２電力線によって前記フィルタに電気的に接続された整流器と、前記第１電力線および前記第２電力線に電気的に接続された保護回路と、前記整流器に電気的に接続された変換器とを含み、
前記保護回路は、前記第１電力線および前記第２電力線を電気的に接続した状態と、前記第１電力線および前記第２電力線の電気的な接続を切断した状態とを切替え、
前記保護回路の駆動を制御する保護制御部と、前記変換器の駆動を制御する変換器制御部とをさらに備え、
前記変換器制御部および前記フィルタコイルの間の距離は、前記保護制御部および前記フィルタコイルの間の距離よりも長い、請求項４または請求項５に記載の送電装置。
【発明の詳細な説明】
【技術分野】
【０００１】
本開示は、受電装置および送電装置に関する。
【背景技術】
【０００２】
従来から送電装置から受電装置に非接触で電力を送電する非接触充電システムについて各種提案されている（特許文献１〜５）。
【０００３】
たとえば、特開２０１６−１２９１６４号公報に記載された受電装置は、渦巻き型の受電コイルと、受電コイルが上面に配置されたフェライト板と、受電コイルに接続された電気機器と、収容ケースとを備える。収容ケースは、金属製の設置板と、金属製の側壁と、樹脂製の蓋部材とを含む。収容ケース内には受電コイルとフェライト板と電気機器とが収容されている。電気機器は、受電コイルおよびフェライト板の横側に配置されている。
【０００４】
送電装置は、渦巻き型の送電コイルと、送電コイルが配置されたフェライト板と、電気機器と、収容ケースとを備える。そして、収容ケース内において、電気機器は送電コイルおよびフェライト板の横側に配置されている。
【先行技術文献】
【特許文献】
【０００５】
【特許文献１】特開２０１３−１５４８１５号公報
【特許文献２】特開２０１３−１４６１５４号公報
【特許文献３】特開２０１３−１４６１４８号公報
【特許文献４】特開２０１３−１１０８２２号公報
【特許文献５】特開２０１３−１２６３２７号公報
【特許文献６】特開２０１６−１２９１６４号公報
【発明の概要】
【発明が解決しようとする課題】
【０００６】
電力伝送時において、受電装置の電気機器および送電装置の電気機器に電流が流れる。各電気機器に電流が流れると、各電気機器からノイズが放射される。
【０００７】
特開２０１６−１２９１６４号公報に記載された受電装置および送電装置において、収容ケースの蓋部材は樹脂製であるため、電気機器から放射されたノイズは蓋部材を通り、外部に放射されるおそれがある。
【０００８】
そのため、たとえば、受電装置において、受電コイルおよびフェライト板をコイル収容ケースに収容すると共に、コイル収容ケースと隣り合う金属ケース内に電気機器を収容して、電気機器からのノイズが外部に漏れることを抑制することが知られている。
【０００９】
しかし、上記のように金属ケース内に電気機器を収容した受電装置において、受電時に受電コイルの周囲に形成される電磁界が金属ケース内にも入り込み、電気機器の能動素子に影響を与える。なお、送電装置においても同様の課題が生じる。
【００１０】
本開示は、上記のような課題に鑑みてなされたものであって、その第１の目的は、受電時に、受電装置に設けられた電気機器の能動素子が、受電コイルの周囲に形成される電磁界から受ける影響を抑制することができる受電装置を提供することである。第２の目的は、送電時に、送電装置に設けられた電気機器の能動素子が、送電時に送電コイルの周囲に形成される電磁界から影響を受けることを抑制することができる送電装置を提供することである。
【課題を解決するための手段】
【００１１】
本開示に係る受電装置は、コイルと、電気ユニットと、金属ケースと備える。電気ユニットは、コイルに電気的に接続されている。上記金属ケースは、コイルと隣り合うように配置されると共に、電気ユニットが収容されている。上記電気ユニットは、少なくとも１つの能動素子を含む。上記金属ケースは、コイルと隣り合う内側壁と、内側壁に対してコイルと反対側に位置する外側壁とを含む。上記能動素子の少なくとも１つは、内側壁よりも外側壁に近い位置に設けられる。
【００１２】
上記の受電装置によれば、受電時に、受電コイルの周囲に電磁界が形成される。この電磁界が金属ケース内に入り込んだとしても、能動素子の少なくとも１つは、内側壁よりも外側壁の近くに設けられているため、当該能動素子が強度の高い電磁界に曝されることを抑制することができる。
【００１３】
本開示に係る受電装置は、コイルと、フェライト板と、電気ユニットと、金属ケースとを備える。上記コイルは、コイル線を巻回することで形成されており、中空状に形成されている。フェライト板にはコイルが配置される。電気ユニットは、コイルに電気的に接続されている。金属ケースは、コイルと隣り合うように配置されると共に、電気ユニットが収容されている。上記電気ユニットは、少なくとも１つの能動素子を含む。上記フェライト板は、コイルが配置されるコイル載置面を含む。上記フェライト板の外周縁部には切欠部が形成されている。上記切欠部の幅は、コイルの内周縁部側からコイルの外周縁部側に向かうにつれて大きくなるように形成されている。上記能動素子の少なくとも１つは、金属ケース内のうち、切欠部に対して隣り合う隣接領域内に配置されている。
【００１４】
上記の受電装置によれば、受電時に、切欠部を通る磁束は少ない。そのため、切欠部と隣り合う隣接領域に配置された能動素子が強度の高い電磁界に曝されることを抑制することができる。
【発明の効果】
【００１５】
本開示に係る受電装置によれば、受電装置に設けられた電気機器の能動素子が受電時に受電コイルの周囲に形成される電磁界からの影響を抑制することができる。本開示に係る送電装置によれば、送電装置に設けられた電気機器の能動素子が送電時に送電コイルの周囲に形成される電磁界から影響を受けることを抑制することができる。
【図面の簡単な説明】
【００１６】
【図１】受電装置１を含む車両２と、送電装置３とを模式的に示す模式図である。
【図２】受電装置１および送電装置３の回路構成を模式的に示す回路図である。
【図３】受電装置１を模式的に示す平面図である。
【図４】受電装置１を模式的に示す分解斜視図である。
【図５】受電装置１などを示す平面図である。
【図６】受電時に、受電コイル４０の周囲における磁界強度分布を模式的に示す平面図である。
【図７】送電装置３を示す平面図である。
【図８】送電装置３を示す分解斜視図である。
【図９】送電装置３を示す平面図である。
【図１０】実施の形態２に係る受電装置１Ａを示す平面図である。
【図１１】本実施の形態２に係る送電装置３Ａを示す平面図である。
【図１２】ＤＤコイルが採用された受電装置１Ｂを示す斜視図である。
【発明を実施するための形態】
【００１７】
図１から図１２を用いて、実施の形態１〜２について説明する。図１から図１２に示す構成のうち、同一または実質的に同一の構成については同一の符号を付して重複した説明を省略する場合がある。なお、図１から図１２において、「Ｆ」は車両の前方向を示す。「Ｂ」は車両の後ろ方向を示す。「Ｕ」は、鉛直方向上方向を示す。「Ｄ」は、鉛直方向下方向を示す。「Ｌ」は、車両の左方向を示す。「Ｒ」は、車両の右方向を示す。
（実施の形態１）
図１は、受電装置１を含む車両２と、送電装置３とを模式的に示す模式図である。この図１に示すように、車両２は、受電装置１と、フロアパネル１１と、バッテリパック１２と、緩衝部材１３と、緩衝部材１４と、補機バッテリ１５を備える。
【００１８】
フロアパネル１１は、車両２の底面１０を形成する金属製の板状部材である。
バッテリパック１２は、バッテリケース１６と、バッテリケース１６内に収容された蓄電装置１７とを含む。バッテリケース１６は、たとえば、アルミニウムなどの金属によって形成されている。蓄電装置１７は、たとえば、充放電可能な二次電池またはキャパシタである。
【００１９】
補機バッテリ１５は、車両２のエンジンコンパートメント内に収容されている。補機バッテリ１５は、鉛蓄電池などを採用することができる。
【００２０】
受電装置１は、バッテリケース１６の下面に配置されている。受電装置１は、送電装置３から非接触で電力を受電して、蓄電装置１７や補機バッテリ１５に電力を供給する装置である。
【００２１】
緩衝部材１３および緩衝部材１４は、バッテリケース１６の下面に設けられている。緩衝部材１３は受電装置１の前方側に配置されており、緩衝部材１４は受電装置１の後方側に配置されている。この緩衝部材１３，１４は、たとえば、路面上の落下物などから受電装置１を保護するための部材である。
【００２２】
送電装置３は地面に配置されている。送電装置３には電源１９が接続されている。送電装置３は、電源１９から供給される電力を非接触で受電装置１に供給する装置である。
【００２３】
図２は、受電装置１および送電装置３の回路構成を模式的に示す回路図である。この図２に示すように、送電装置３は、送電コイル２８を含む送電部２４と、送電コイル２８に電気的に接続された送電側電気ユニット５と、送電ＥＣＵ２５とを備える。
【００２４】
この図２に示す例においては、送電側電気ユニット５は、整流器２０と、チョッパ回路２１と、インバータ２２と、フィルタ２３とを含む。送電側電気ユニット５は、少なくとも１つの能動素子を含む。具体的には、送電側電気ユニット５は、チョッパ回路２１に設けられたスイッチング素子２６と、インバータ２２に設けられた複数のスイッチング素子２７ａ〜２７ｄを含む。なお、送電側電気ユニット５としては、上記の電気機器に限られず、たとえば、整流器２０および整流器２０の間にフィルタを設ける場合には、このフィルタを含めてもよい。
【００２５】
整流器２０はダイオードブリッジであり、受動素子であるダイオードを複数含む。整流器２０は電源１９から供給される商用電力を全波整流して、チョッパ回路２１に出力する。整流器２０から出力される電力は、正弦波状の商用電力がゼロクロス点で折り返されて片極性の脈流である。
【００２６】
チョッパ回路２１は、昇圧チョッパ回路であり、コイルと、スイッチング素子２６と、ダイオードと、キャパシタとを含む。スイッチング素子２６は能動素子であり、たとえば、ＭＯＳＦＥＴ（metal-oxide-semiconductor field-effect transistor）などである。スイッチング素子２６は、送電ＥＣＵ２５からの指令によって、スイッチング動作が制御される。
【００２７】
チョッパ回路２１は、力率改善回路（ＰＦＣ：Power Factor Correction）として機能する。具体的には、チョッパ回路２１のスイッチング素子２６は、整流器２０から供給される全波整流電力の周波数よりも十分に高い周波数で、全波整流電力のゼロクロス点を基準にスイッチングする。これにより、全波整流電力の電流の通流期間が広がり、力率が改善される。そして、チョッパ回路２１はインバータ２２に直流電力を供給する。
【００２８】
インバータ２２は、複数のスイッチング素子２７ａ〜２７ｄと、各スイッチング素子２７ａ〜２７ｄの各々に並列に接続されたダイオードとを含む。
【００２９】
スイッチング素子２７ａ〜２７ｄは能動素子であり、ＭＯＳＦＥＴやＩＧＢＴ（Insulated Gate Bipolar Transistor）などである。インバータ２２は送電ＥＣＵ２５からのインバータ駆動信号に基づいて、各スイッチング素子２７ａ〜２７ｄをスイッチングして、交流電力をフィルタ２３に供給する。
【００３０】
フィルタ２３はキャパシタ２３ａと、フィルタコイル２３ｂ，２３ｃとを含み、フィルタ２３は受動素子によって形成されている。
【００３１】
フィルタ２３は、インバータ２２から供給される交流電力からノイズを除去して、送電部２４に供給する。これにより、送電部２４からＥＭＣ（Electro Magnetic Interference）が放射されることを抑制することができる。
【００３２】
送電部２４は、送電コイル２８およびキャパシタ２９を含み、送電部２４は受動素子から形成されている。送電コイル２８とキャパシタ２９は、互いに直列に接続されている。この送電コイル２８およびキャパシタ２９によって直列ＬＣ共振器が形成されており、送電部２４のＱ値は１００以上である。
【００３３】
送電部２４にはフィルタ２３から交流電力が供給されており、送電部２４に交流電流が流れることで送電部２４の周囲に電磁界が形成される。
【００３４】
受電装置１は、受電コイル４０を含む受電部３０と、受電コイル４０に電気的に接続された受電側電気ユニット６と、充電ＥＣＵ３７とを含む。
【００３５】
受電側電気ユニット６は、フィルタ３１と、短絡保護回路３２と、整流器３３と、平滑回路３４と、フィルタ３５と、サブＤＣＤＣコンバータ３６と、フィルタ３１および整流器３３を接続する電力線４２および電力線４３とを含む。
【００３６】
充電ＥＣＵ３７は、変換器制御部３８および保護制御部３９を含む。変換器制御部３８は、サブＤＣＤＣコンバータ３６の駆動を制御し、保護制御部３９は短絡保護回路３２の駆動を制御する。
【００３７】
受電部３０は受電コイル４０およびキャパシタ４１を含み、受電部３０は受動素子から形成されている。受電コイル４０およびキャパシタ４１によって直列ＬＣ共振器が形成されており、受電部３０のＱ値は１００以上である。なお、送電部２４の共振周波数と、受電部３０の共振周波数は、一致または実質的に一致している。
【００３８】
受電部３０は送電部２４の周囲に形成される電磁界を通して電力を受電しており、受電部３０は送電部２４から非接触で電力を受電する。受電部３０が受電した交流電力はフィルタ３１に供給される。
【００３９】
フィルタ３１は、複数のフィルタコイル３１ａ，３１ｂと、キャパシタ３１ｃ，３１ｄとを含み、フィルタ３１は受動素子によって形成されている。
【００４０】
フィルタ３１は、受電部３０から供給された交流電力からノイズを除去して、短絡保護回路３２に供給する。
【００４１】
短絡保護回路３２は、フィルタ３１および整流器３３を接続する電力線４２および電力線４３に接続されたスイッチング素子４４を含む。スイッチング素子４４は保護制御部３９からの制御信号によって駆動する。
【００４２】
たとえば、整流器３３などが正常である場合には、整流器３３のスイッチング素子４４はＯＦＦとされており、電力線４２および電力線４３は電気的に接続された状態とされる。
【００４３】
そして、整流器３３などに異常が検知されると、保護制御部３９からの制御信号によってスイッチング素子４４はＯＮとなり、電力線４２および電力線４３を電気的に接続する。電力線４２および電力線４３が電気的に接続されることで短絡回路が形成され、受電部３０で受電した電力が整流器３３に流れることを抑制することができる。これにより、異常が生じた整流器３３に電力が供給されることを抑制することができ、整流器３３の保護を図ることができる。
【００４４】
整流器３３は複数のダイオード３３ａ〜３３ｄを含み、整流器３３は受動素子によって形成されている。
【００４５】
整流器３３は、短絡保護回路３２を通して供給される交流電力を直流電力に変換して、平滑回路３４に供給する。
【００４６】
平滑回路３４はコンデンサによって形成されており、平滑回路３４は受動素子によって形成されている。平滑回路３４は整流器３３から供給される直流電力を平滑化してフィルタ３５に供給する。
【００４７】
フィルタ３５は複数のキャパシタ３５ａ，３５ｂと、複数のフィルタコイル３５ｃ，３５ｄとを含み、フィルタ３５は受動素子によって形成されている。フィルタ３５は、平滑回路３４から供給された直流電力からノイズを除去して、蓄電装置１７およびサブＤＣＤＣコンバータ３６に供給する。
【００４８】
サブＤＣＤＣコンバータ３６は、インバータ４５と、インバータ４５に電気的に接続された変圧器４６と、変圧器４６に電気的に接続された整流器４７とを含む。
【００４９】
インバータ４５は複数のスイッチング素子４８と、複数のダイオードとを含む。スイッチング素子４８は能動素子であり、たとえば、ＭＯＳＦＥＴやＩＧＢＴである。インバータ４５は変換器制御部３８からの駆動制御信号に基づいて、スイッチング素子４８のＯＮ／ＯＦＦを切り替える。そして、インバータ４５はフィルタ３５から供給される直流電力を交流電力に変換する。
【００５０】
変圧器４６は２つのコイルを含み、変圧器４６は受動素子によって形成されている。変圧器４６は、インバータ４５から供給される交流電力の電圧を変換（たとえば、低く）して、整流器４７に供給する。
【００５１】
整流器４７は複数のダイオードを含み、整流器４７は受動素子によって形成されている。整流器４７は変圧器４６から供給される交流電力を直流電力に変換して、補機バッテリ１５に供給する。
【００５２】
次に、図３などを用いて、受電装置１の構成について説明する。図３は、受電装置１を模式的に示す平面図である。この図３に示すように、受電装置１は、受電コイルや各種機器を収容する収容ケース５０を備える。
【００５３】
収容ケース５０は、コイル収容ケース５１および金属ケース５２を含む。収容ケース５０は、ケース本体５３と、樹脂蓋５４と、金属蓋５５とを含む。ケース本体５３と金属蓋５５とはアルミニウムなどの金属によって形成されており、樹脂蓋５４は樹脂などによって形成されている。
【００５４】
そして、コイル収容ケース５１は、ケース本体５３および樹脂蓋５４によって形成されている。金属ケース５２は、ケース本体５３および金属蓋５５によって形成されている。
【００５５】
図４は、受電装置１を模式的に示す分解斜視図である。この図４に示すように、ケース本体５３には下方に向けて開口する開口部５３ａおよび開口部５３ｂが形成されている。開口部５３ａおよび開口部５３ｂは、車両２の幅方向に配列するように形成されており、開口部５３ｂは開口部５３ａに対して左側に形成されている。
【００５６】
ケース本体５３は、天板６０と、周壁６１と、内側壁６６とを含む。天板６０は、バッテリケース１６の下面に配置されている。周壁６１は天板６０の外周縁部から下方に向けて突出するように形成されており、天板６０の外周縁部に沿って環状に形成されている。
【００５７】
周壁６１は、前壁６２と、後壁６３と、右外側壁６４と、左外側壁６５とを含む。前壁６２は車両２の前側に配置されている。後壁６３は車両２の後ろ側に配置されている。右外側壁６４は車両２の右側面側に配置されている。左外側壁６５は車両２の左側面側に配置されている。
【００５８】
内側壁６６は環状に形成された周壁６１内に設けられており、前壁６２および後壁６３を接続するように形成されている。
【００５９】
そして、開口部５３ａは、前壁６２の一部と、右外側壁６４と、後壁６３の一部と、内側壁６６とによって形成されている。同様に、開口部５３ｂは、前壁６２の一部と、左外側壁６５と、後壁６３の一部と、内側壁６６とによって形成されている。
【００６０】
樹脂蓋５４は開口部５３ａを閉塞するように設けられている。樹脂蓋５４が開口部５３ｂを閉塞することで、受電コイル４０などが収容されるコイル収容ケース５１が形成される。
【００６１】
このように、コイル収容ケース５１は、天板６０の一部と、前壁６２の一部と、内側壁６６と、後壁６３の一部と、右外側壁６４と、樹脂蓋５４とによって形成されている。
【００６２】
金属蓋５５は開口部５３ｂを閉塞するように設けられている。金属蓋５５が開口部５３ｂを閉塞することで、受電側電気ユニット６を収容する金属ケース５２が形成される。
【００６３】
このように、金属ケース５２は、天板６０の一部と、前壁６２の一部と、左外側壁６５と、後壁６３の一部と、内側壁６６と、金属蓋５５によって形成されている。
【００６４】
そして、この図４に示すように、受電装置１は、板状に形成された金属板７０と金属板７０の下面に配置されたフェライト板７１とを含む。フェライト板７１の下面に受電コイル４０が配置されており、受電コイル４０およびフェライト板７１によってコイルユニット７２が形成されている。そして、金属板７０の上面側にはキャパシタ４１が配置されている。
【００６５】
キャパシタ４１は、基板と、基板に設けられた複数のセラミックキャパシタとを含む。キャパシタ４１とコイルユニット７２の間に金属板７０が配置されており、受電コイル４０の周囲に形成される電磁界がキャパシタ４１に達することが抑制されている。
【００６６】
受電コイル４０は、渦巻き型コイルである。受電コイル４０は、上下方向に延びる巻回軸線Ｏ１の周囲を取り囲むようにコイル線４０ａを巻回することで形成されている。
【００６７】
フェライト板７１は板状に形成されており、フェライト板７１の下面がコイル載置面である。
【００６８】
図５は、受電装置１などを示す平面図である。この図５においては、樹脂蓋５４および金属蓋５５を取り外した状態の受電装置１を、フェライト板７１の下面（コイル載置面）を平面視するように視たときの平面図である。
【００６９】
この図５に示すように、コイル収容ケース５１内にコイルユニット７２が収容されており、金属ケース５２内に受電側電気ユニット６が収容されている。
【００７０】
そして、金属ケース５２は、コイルユニット７２および受電コイル４０と隣り合うように設けられている。この図５に示す例においては、金属ケース５２はコイルユニット７２および受電コイル４０に対して、車両２の左側（幅方向）に隣り合うように設けられている。
【００７１】
次に、コイル収容ケース５１内に収容された受電コイル４０およびフェライト板７１の構成について説明する。
【００７２】
受電コイル４０は渦巻き型のコイルであり、受電コイル４０は角部が湾曲状の多角形状に形成されており、この図５に示す例においては四角形形状に形成されている。
【００７３】
受電コイル４０は、複数の曲げ部７３と、隣り合う曲げ部７３を接続する直線部７４とを含む。そして、受電コイル４０の中央には、穴７７が形成されている。
【００７４】
フェライト板７１は巻回軸線Ｏ１の周囲を取り囲むように設けられた複数の角フェライト板７５ａ〜７５ｄを含む。複数の角フェライト板７５ａ〜７５ｄは互いに間隔をあけて環状に配置されており、フェライト板７１の中央には穴７６が形成されている。
【００７５】
なお、角フェライト板７５ａ、７５ｂは、右外側壁６４と隣り合うように配置されており、角フェライト板７５ａおよび角フェライト板７５ｃは、前壁６２と隣り合うように配置されている。同様に、角フェライト板７５ｃおよび角フェライト板７５ｄは内側壁６６と隣り合うように配置されており、角フェライト板７５ｂおよび角フェライト板７５ｄは、後壁６３と隣り合うように配置されている。
【００７６】
そして、フェライト板７１の下面（コイル載置面）を平面視すると、各角フェライト板７５ａ〜７５ｄは、受電コイル４０の曲げ部７３の上面側に配置されている。各角フェライト板７５ａ〜７５ｄは、巻回軸線Ｏ１を中心として放射状に延びるように配置されている。各角フェライト板７５ａ〜７５ｄの巻回軸線Ｏ１側の内端部は受電コイル４０の穴７７から露出している。各角フェライト板７５ａ〜７５ｄの外端部は、各曲げ部７３から外方に向けて突出している。
【００７７】
なお、この図５に示す例においては、角フェライト板７５は、２つの分割フェライト板７８を含む。各分割フェライト板７８は互いに間隔をあけて配置されており、各分割フェライト板７８の間には空隙７９が形成されている。空隙７９は、巻回軸線Ｏ１を中心として放射状に延びている。
【００７８】
そして、フェライト板７１には複数の切欠部８０ａ〜８０ｄが形成されている。フェライト板７１の下面（コイル載置面）を平面視する方向でコイルユニット７２を視ると、各切欠部８０ａ〜８０ｄは、受電コイル４０の各直線部７４と重なり合うように形成されている。この切欠部８０ａ〜８０ｄは、隣り合う角フェライト板７５ａ〜７５ｄによって形成されている。
【００７９】
具体的には、切欠部８０ａは角フェライト板７５ａおよび角フェライト板７５ｂの間に形成されており、切欠部８０ａは右外側壁６４と隣り合う位置に形成されている。切欠部８０ｂは角フェライト板７５ａおよび角フェライト板７５ｃの間に形成されており、切欠部８０ｂは前壁６２と隣り合う位置に形成されている。
【００８０】
切欠部８０ｃは角フェライト板７５ｃおよび角フェライト板７５ｄの間に形成されており、切欠部８０ｃは内側壁６６と隣り合う位置に形成されている。切欠部８０ｄは角フェライト板７５ｄおよび角フェライト板７５ｂの間に形成されており、切欠部８０ｄは後壁６３と隣り合う位置に形成されている。
【００８１】
コイル線４０ａが延びる方向における各切欠部８０ａ〜８０ｄの幅は、受電コイル４０の内周縁部側から外周縁部側に向かうにつれて大きくなるように形成されている。たとえば、切欠部８０ｃの幅は、内側壁６６に向かうにつれて大きくなるように形成されている。
【００８２】
次に、金属ケース５２内に収容された受電側電気ユニット６と変換器制御部３８と保護制御部３９との搭載位置について説明する。
【００８３】
フィルタ３１は、金属ケース５２内において前壁６２側に配置されている。具体的には、フィルタコイル３１ａ，３１ｂが天板６０に配置されており、キャパシタ３１ｃ，３１ｄがフィルタコイル３１ａ，３１ｂの下方に配置されている。
【００８４】
なお、フィルタコイル３１ａおよびフィルタコイル３１ｂは、車両２の幅方向に配列するように配置されている。
【００８５】
短絡保護回路３２および整流器３３は、フィルタ３１よりも車両２の後方側に配置されている。短絡保護回路３２は整流器３３よりも内側壁６６側に配置されている。そして、短絡保護回路３２のスイッチング素子４４は、左外側壁６５よりも内側壁６６に近い位置に設けられている。
【００８６】
フィルタ３５およびサブＤＣＤＣコンバータ３６は、短絡保護回路３２および整流器３３よりも車両２の後方に配置されている。フィルタ３５はサブＤＣＤＣコンバータ３６よりも内側壁６６に近い位置に設けられている。このため、サブＤＣＤＣコンバータ３６は、フィルタ３５よりも受電コイル４０から離れた位置に設けられている。
【００８７】
フィルタ３５において、フィルタコイル３５ｃ，３５ｄは天板６０に配置されており、キャパシタ３５ａ，３５ｂはフィルタコイル３５ｃ，３５ｄの下方に配置されている。
【００８８】
ここで、切欠部８０ｃの内周縁部は、側辺８１Ａおよび側辺８１Ｂとを含む。側辺８１Ａは角フェライト板７５ｃの側辺であり、側辺８１Ｂは角フェライト板７５ｄの側辺である。
【００８９】
ここで、図５に示す「仮想直線Ｌ１」は側辺８１Ａの延長線であり、「仮想直線Ｌ２」は側辺８１Ｂの延長線である。そして、隣接領域Ｒ１は、仮想直線Ｌ１および仮想直線Ｌ２によって挟まれる領域である。
【００９０】
なお、詳細については後述するが、金属ケース５２内において仮想直線Ｌ１および仮想直線Ｌ２によって挟まれる領域（金属ケース５２内において切欠部８０ｃと隣り合う隣接領域Ｒ１）では、受電時に、比較的強度の低い電磁界が分布する。
【００９１】
そして、短絡保護回路３２のスイッチング素子４４およびサブＤＣＤＣコンバータ３６のスイッチング素子４８は、金属ケース５２内において、切欠部８０ｃと隣り合う隣接領域Ｒ１内に配置されている。そのため、受電時において、スイッチング素子４４およびスイッチング素子４８が強度の高い電磁界に曝されることを抑制することができる。
【００９２】
上記のように構成された受電装置１が送電装置３から非接触で電力を受電する際には、まず、送電装置３から出射された磁束が受電コイル４０と鎖交する。これにより、受電コイル４０内に交流電流が流れる。受電コイル４０内に交流電流が流れると、受電コイル４０の周囲に電磁界が形成され、受電コイル４０から磁束が出射される。受電コイル４０から出射した磁束が送電コイル２８と鎖交して受電コイル４０に戻る。
【００９３】
このように、受電コイル４０および送電コイル２８を通る磁束によって、受電コイル４０が電力を受電する。
【００９４】
ここで、図５において、磁気経路ＭＦ１は、角フェライト板７５ｃの内端と、受電コイル４０の下方および受電コイル４０の外周端側と、切欠部８０ｃ内とを通る経路である。
【００９５】
磁気経路ＭＦ２は、角フェライト板７５ｃの内端と、受電コイル４０の下方と、角フェライト板７５ｃの外端と、角フェライト板７５ｃ内とを通る経路である。
【００９６】
磁気経路ＭＦ１は切欠部８０ｃ内を通るため、磁気経路ＭＦ１が空気中を通る経路長は、磁気経路ＭＦ２が空気中を通る経路長よりも長い。
【００９７】
空気の磁気抵抗はフェライトの磁気抵抗よりも遥かに高いため、磁気経路ＭＦ１の磁気抵抗は磁気経路ＭＦ２の磁気抵抗よりも高い。その結果、磁気経路ＭＦ１を通る磁束量は、磁気経路ＭＦ２を通る磁束量よりも少なく、磁気経路ＭＦ２を通る磁束量は多い。
【００９８】
ここで、磁気経路ＭＦ２は、磁気経路ＭＦ１よりも受電コイル４０の下方を通る距離が長いため、磁気経路ＭＦ１を通る磁束が増えると、受電コイル４０の下方側に大きく離れた位置を通る磁束が増えやすい。その結果、受電コイル４０の下方に位置する送電コイル２８と鎖交する磁束が増える。このように、切欠部８０ａ〜８０ｄをフェライト板７１に形成することで、受電コイル４０および送電コイル２８に鎖交する磁束を増やすことができ、結合係数の向上が図られている。
【００９９】
このように、受電コイル４０および送電コイル２８のいずれにも鎖交する磁束は、主に、角フェライト板７５ａ〜７５ｄの内端と、送電コイル２８と、角フェライト板７５ａ〜７５ｄの外端と、角フェライト板７５ａ〜７５ｄ内とを通る。
【０１００】
その一方で、受電コイル４０が電力を受電する際に、切欠部８０ａ〜８０ｄ内および切欠部８０ａ〜８０ｄと隣り合う領域を通る磁束量は少ない。
【０１０１】
図６は、受電時に、受電コイル４０の周囲における磁界強度分布を模式的に示す平面図である。この図６において、斜線で示された領域は電磁界強度が高い領域を示す。この図６に示すように、金属ケース５２内において、仮想直線Ｌ１および仮想直線Ｌ２で挟まれた領域（切欠部８０ｃと隣り合う隣接領域Ｒ１）には、電磁界の強度が比較的低いことが分かる。
【０１０２】
図５において、切欠部８０ｃと隣り合う隣接領域Ｒ１にスイッチング素子４４およびスイッチング素子４８が配置されているため、スイッチング素子４４，４８が強度の高い電磁界に曝されることを抑制することができる。
【０１０３】
なお、本実施の形態においては、受電側電気ユニット６に設けられた能動素子である４４と、複数のスイッチング素子４８を全て、切欠部８０ｃと隣り合う隣接領域Ｒ１内に配置したが、スイッチング素子４４と、複数のスイッチング素子４８との少なくとも１つを切欠部８０ｃと隣り合う隣接領域Ｒ１に配置してもよい。
【０１０４】
インバータ４５のスイッチング素子４８は、内側壁６６よりも左外側壁６５に近い位置に配置されている。受電時に受電コイル４０の周囲に形成される電磁界は、受電コイル４０から離れるにつれて強度が弱くなる。そのため、隣接領域Ｒ１内においても、受電コイル４０から離れるにつれて電磁界強度が低くなり、スイッチング素子４８が強度の高い電磁界に曝されることを抑制することができる。
【０１０５】
保護制御部３９および変換器制御部３８は、コイル収容ケース５１内において隣接領域Ｒ１内に配置されている。このため、受電時において、保護制御部３９および変換器制御部３８が強度の高い電磁界に曝されることを抑制することができる。
【０１０６】
受電時において、フィルタ３１のフィルタコイル３１ａ，３１ｂに電流が流れると共に、フィルタコイル３５ａ，３５ｂにも電流が流れ、フィルタコイル３１ａ，３１ｂの周囲およびフィルタコイル３５ａ，３５ｂの周囲に電磁界が形成される。
【０１０７】
ここで、変換器制御部３８およびフィルタ３１の距離Ｌ４は、保護制御部３９およびフィルタ３１の間の距離Ｌ３よりも長い。このため、フィルタ３１の周囲に形成される電磁界によって変換器制御部３８が曝される電磁界強度は、保護制御部３９が曝される電磁界強度よりも低い。
【０１０８】
また、変換器制御部３８およびフィルタ３５の距離Ｌ６は、保護制御部３９およびフィルタ３５の間の距離Ｌ５よりも長い。このため、フィルタ３５の周囲に形成される電磁界によって変換器制御部３８が曝される電磁界強度は、保護制御部３９が曝される電磁界強度よりも低い。
【０１０９】
このため、変換器制御部３８が曝される電磁界強度は、保護制御部３９が曝される電磁界強度よりも低い。受電時において、変換器制御部３８は略常時、駆動している。その一方で、保護制御部３９は、受電時において、整流器３３に異常が発生した際に駆動する。
【０１１０】
このように、受電時において、変換器制御部３８は保護制御部３９よりも駆動する機会が多いことから、本実施の形態においては、変換器制御部３８が曝される電磁界を低減することで、変換器制御部３８の保護が図られている。
【０１１１】
次に、送電装置３の構成などについて説明する。
図７は、送電装置３を示す平面図である。この図７に示すように、送電装置３は、送電部２４および送電側電気ユニット５を収容する収容ケース１００を含む。
【０１１２】
収容ケース１００は、コイル収容ケース１０１と、金属ケース１０２とを含む。コイル収容ケース１０１は、ケース本体１１０と、樹脂蓋１１１とを含む。金属ケース１０２は、ケース本体１１０と、金属蓋１１２とを含む。
【０１１３】
図８は、送電装置３を示す分解斜視図である。この図３に示すように、送電装置３は、送電コイル２８が配置されるフェライト板１２０と、フェライト板１２０の下面側に配置された金属板１２２とを含む。
【０１１４】
送電コイル２８は、フェライト板１２０の上面に配置されており、フェライト板１２０の上面が送電コイル２８の載置面である。そして、送電コイル２８およびフェライト板１２０によってコイルユニット１２１が形成されている。キャパシタ２９は、金属板１２２の下面側に配置されている。コイルユニット１２１と、金属板１２２と、キャパシタ２９とは、コイル収容ケース５１内に収容されている。
【０１１５】
ケース本体１１０は、底板１１３と、周壁１１４と、内壁１１５とを含む。周壁１１４は、底板１１３の外周縁から上方に立ち上がるように形成されている。
【０１１６】
周壁１１４は、車両の右側の位置する外側壁１１６と、車両の左側に位置する外側壁１１７と、車両の前側に位置する外側壁１１８と、車両の後ろ側に位置する外側壁１１９とを含む。内壁１１５は、外側壁１１６および外側壁１１７を接続するように形成されている。
【０１１７】
外側壁１１６の一部と、外側壁１１８と、外側壁１１７の一部と、内壁１１５とによって開口部１２３が形成されている。同様に、外側壁１１６の一部と、外側壁１１９と、外側壁１１７の一部と、内壁１１５とによって、開口部１２４が形成されている。
【０１１８】
そして、樹脂蓋１１１が開口部１２３を閉塞することで、コイル収容ケース５１が形成される。金属蓋１１２が開口部１２４を閉塞することで、金属ケース５２が形成される。
【０１１９】
図９は、送電装置３を示す平面図である。なお、図９においては、樹脂蓋１１１および金属蓋１１２を取り外した状態における平面図である。この図９に示すように、金属ケース５２はコイルユニット１２１と隣り合う位置に配置されている。
【０１２０】
送電コイル２８は、複数の曲げ部１２５と、一対の長辺部１２６と、一対の短辺部１２７とを含む。送電コイル２８は、中空状に形成されており、送電コイル２８の中央には、穴１２８が形成されている。なお、送電コイル２８は、渦巻き型コイルであり、送電コイル２８は、上下方向に延びる巻回軸線Ｏ２の周囲を取り囲むように、コイル線２８ａを巻回することで形成されている。
【０１２１】
フェライト板１２０は、複数の角フェライト１３０ａ〜１３０ｄと、複数の辺フェライト１３１ａ，１３１ｂとを含む。各角フェライト１３０ａ〜１３０ｄと、各辺フェライト１３１ａ，１３１ｂとは、それぞれ、３つの分割フェライトによって形成されている。
【０１２２】
フェライト板１２０の上面を平面視する方向でフェライト板１２０および送電コイル２８を視ると、角フェライト１３０ａ〜１３０ｄは、曲げ部１２５の下側に配置されている。辺フェライト１３１ａ，１３１ｂは、長辺部１２６の下側に配置されている。
【０１２３】
各角フェライト１３０ａ〜１３０ｄおよび辺フェライト１３１ａ，１３１ｂの内端部は、送電コイル２８の内周縁部よりも内側に位置している。角フェライト１３０ａ〜１３０ｄおよび辺フェライト１３１ａ，１３１ｂの外端部は、送電コイル２８の外周縁部よりも外側に突出している。
【０１２４】
そして、角フェライト１３０ａ〜１３０ｄおよび辺フェライト１３１ａ，１３１ｂは、放射状に配置されており、フェライト板１２０の外周縁部には、複数の切欠部１３２ａ〜１３２ｆが形成されている。
【０１２５】
ここで、フェライト板１２０の上面を平面視する方向で、フェライト板１２０および送電コイル２８を平面視すると、各切欠部１３２ａ〜１３２ｆは、長辺部１２６または短辺部１２７と重なり合うように形成されている。
【０１２６】
各切欠部１３２ａ〜１３２ｆは、送電コイル２８の内周縁から外周縁に向かうにつれて、コイル線２８ａの延びる方向の長さが長くなるように形成されている。そして、切欠部１３２ｅ、１３２ｆは、内壁１１５と隣り合う位置に形成されている。
【０１２７】
具体的には、切欠部１３２ｅは、角フェライト１３０ｃおよび辺フェライト１３１ｂの間に形成されている。
【０１２８】
切欠部１３２ｅの内周縁部は、角フェライト１３０ｃの側辺１４０と、辺フェライト１３１ｂの側辺１４１を含む。
【０１２９】
切欠部１３２ｆの内周縁部は、辺フェライト１３１ｂの側辺１４２と、角フェライト１３０ｄの側辺１４３によって形成されている。
【０１３０】
図９において、仮想直線Ｌ１０は側辺１４０の延長線であり、仮想直線Ｌ１１は、側辺１４１の延長線である。また、仮想直線Ｌ１２は側辺１４２の延長線であり、仮想直線Ｌ１３は、側辺１４３の延長線である。
【０１３１】
金属ケース５２内において、切欠部１３２ｅと隣り合う隣接領域Ｒ２は、金属ケース５２内において仮想直線Ｌ１０および仮想直線Ｌ１１によって挟まれる領域である。金属ケース５２内において、切欠部１３２ｆと隣り合う隣接領域Ｒ３は、金属ケース５２内において仮想直線Ｌ１２および仮想直線Ｌ１３によって挟まれた領域である。
【０１３２】
フィルタ２３は、金属ケース５２内において、フィルタ２３は外側壁１１６と隣り合う位置に配置されている。
【０１３３】
インバータ２２は、フィルタ２３に対して外側壁１１７側に配置されている。チョッパ回路２１のキャパシタは、インバータ２２よりも、外側壁１１７側に配置されている。チョッパ回路２１のコイルは、キャパシタよりも外側壁１１７側に配置されている。チョッパ回路２１のスイッチング素子２６は、チョッパ回路２１のコイルよりも外側壁１１７側に配置されており、スイッチング素子２６は、内壁１１５よりも外側壁１１９に近い位置に配置されている。
【０１３４】
整流器２０は、チョッパ回路２１のスイッチング素子２６よりも外側壁１１７側に配置されている。
【０１３５】
そして、インバータ２２の各スイッチング素子２７ａ〜２７ｄは、隣接領域Ｒ２内に配置されており、チョッパ回路２１のスイッチング素子２６は隣接領域Ｒ３内に位置している。送電ＥＣＵ２５は、隣接領域Ｒ３内に配置されている。
【０１３６】
上記のように構成された送電装置３において、送電装置３が送電する際には、送電コイル２８に電流が流れ、送電コイル２８の周囲に電磁界が形成される。
【０１３７】
そして、送電コイル２８および受電コイル４０のいずれにも鎖交する磁束は、主に、角フェライト１３０ａ〜１３０ｄおよび辺フェライト１３１ａ，１３１ｂの内端部と、受電コイル４０と、角フェライト１３０ａ〜１３０ｄおよび辺フェライト１３１ａ，１３１ｂの外端部とを通る。すなわち、各切欠部１３２ａ〜１３２ｆを通る磁束量が少なく、送電時において、各切欠部１３２ａ〜１３２ｆに分布する電磁界の強度は低い。
【０１３８】
本実施の形態においては、送電側電気ユニット５の能動素子であるスイッチング素子２７ａ〜２７ｄと、スイッチング素子２６とは、隣接領域Ｒ２または隣接領域Ｒ３内に配置されている。
【０１３９】
そのため、送電時に、送電側電気ユニット５のスイッチング素子２７ａ〜２７ｄおよびスイッチング素子２６が強度の高い電磁界に曝されることを抑制することができる。
【０１４０】
また、送電ＥＣＵ２５も隣接領域Ｒ３内に配置されており、送電ＥＣＵ２５が強度の高い電磁界に曝されることが抑制されている。
【０１４１】
さらに、スイッチング素子２６および送電ＥＣＵ２５は内壁１１５よりも外側壁１１９に近い位置に配置されており、スイッチング素子２６および送電コイル２８の間の距離は長い。このため、スイッチング素子２６および送電ＥＣＵ２５が曝される電磁界強度が低く抑えられている。
【０１４２】
なお、本実施の形態１においては、フェライト板に切欠部が形成された受電装置および送電装置について説明したが、切欠部は必須の構成ではない。
（実施の形態２）
図１０は、実施の形態２に係る受電装置１Ａを示す平面図である。なお、この図１０においても、樹脂蓋および金属蓋は取り外した状態を示す。
【０１４３】
この図１０に示すように、受電装置１Ａは、フェライト板７１Ａを含み、フェライト板７１Ａは、四角形形状に形成されている。
【０１４４】
そして、本実施の形態において、インバータ４５のスイッチング素子４８および変換器制御部３８は、内側壁６６よりも左外側壁６５に近い位置に配置されている。
【０１４５】
上記のように構成された受電装置１Ａにおいて、受電時に受電コイル４０に受電電流が流れると、受電コイル４０の周囲に電磁界が形成される。
【０１４６】
本実施の形態２においては、フェライト板７１Ａに切欠部が形成されていないため、受電コイル４０の外周に沿って電磁界が分布しており、電磁界強度は、受電コイル４０から離れるにつれて低くなる。
【０１４７】
その一方で、サブＤＣＤＣコンバータ３６の複数のスイッチング素子４８は、内側壁６６よりも左外側壁６５に近い位置に配置されており、受電時に、高い電磁界に曝されることが抑制されている。
【０１４８】
なお、本実施の形態２においては、短絡保護回路３２のスイッチング素子４４は左外側壁６５よりも内側壁６６に近い位置に配置されているが、スイッチング素子４４を内側壁６６よりも左外側壁６５に近い位置に配置してもよい。
【０１４９】
このように、本実施の形態２に係る受電装置１においては、受電側電気ユニット６に設けられた複数の能動素子の少なくとも１つを内側壁６６よりも左外側壁６５に近い位置に配置することで、当該能動素子が強度の高い電磁界に曝されることを抑制している。
【０１５０】
本実施の形態２においても実施の形態１と同様に、変換器制御部３８およびフィルタ３１の間の距離は、保護制御部３９およびフィルタ３１の間の距離よりも長く、フィルタ３１の周囲に形成される電磁界によって、変換器制御部３８が強度の高い電磁界に曝されることが抑制されている。また、変換器制御部３８およびフィルタ３５の間の距離は、保護制御部３９およびフィルタ３５の間の距離よりも長く、変換器制御部３８がフィルタ３５の周囲に形成される電磁界によって、変換器制御部３８が強度の高い電磁界に曝されることを抑制することができる。
【０１５１】
次に、実施の形態２に係る送電装置３Ａについて説明する。
図１１は、本実施の形態２に係る送電装置３Ａを示す平面図である。この図１１に示すように、送電装置３Ａは、板状に形成されたフェライト板１２０Ａを含み、送電コイル２８は、フェライト板１２０Ａの上面に配置されている。
【０１５２】
フェライト板１２０Ａは四角形形状とされており、フェライト板１２０Ａの外周縁には、切欠部が形成されていない。
【０１５３】
そして、短絡保護回路３２内に受電側電気ユニット６の各種機器が収容されており、チョッパ回路２１のスイッチング素子２６およ送電ＥＣＵ２５は、内壁１１５よりも外側壁１１９に近い位置に配置されている。
【０１５４】
本実施の形態２に係る送電装置３Ａにおいても、送電時に、送電コイル２８に電流が流れ、送電コイル２８の周囲に電磁界が形成される。フェライト板１２０Ａに切欠部が形成されていないため、送電コイル２８の周囲に形成される電磁界の強度は、送電コイル２８から離れるにつれて低くなる。
【０１５５】
そして、本実施の形態２に係る送電装置３Ａにおいて、スイッチング素子２６および送電ＥＣＵ２５は内壁１１５よりも外側壁１１９に近い位置に配置されているため、スイッチング素子２６および送電ＥＣＵ２５が、送電コイル２８の周囲に形成される電磁界によって、強度の高い電磁界に曝されることを抑制することができる。
【０１５６】
このように、本実施の形態２に係る送電装置３Ａにおいては送電側電気ユニット５に設けられた複数の能動素子の少なくと１つの能動素子を内壁１１５よりも外側壁１１９に近い位置に配置することで、当該能動素子が強度の高い電磁界に曝されることを抑制することができる。
【０１５７】
上記実施の形態１，２においては、渦巻き型コイルが採用された受電装置１，１Ａおよび送電装置３，３Ａについて説明したが、コイルタイプとしては各種のものを採用することができる。
【０１５８】
図１２は、ＤＤコイルが採用された受電装置１Ｂを示す斜視図である。この図１２に示すように、受電装置１Ｂは、受電コイル４０Ｂを含む。この受電コイル４０Ｂは、単位コイル１５０と、単位コイル１５０に接続された単位コイル１５１とを含む。
【０１５９】
単位コイル１５０および単位コイル１５１は、車両の前後方向に配列するように配置されている。
【０１６０】
ここで、単位コイル１５０は、単位コイル１５０の一端から単位コイル１５０の他方端に向かうにつれて、上下方向に延びる巻回軸線Ｏ３の周囲を取り囲むように形成されている。
【０１６１】
単位コイル１５０の他方端は、単位コイル１５１の一端に接続されている。単位コイル１５１の一端から他方端に向かうにつれて、単位コイル１５１は、巻回軸線Ｏ４の周囲を取り囲むように形成されている。
【０１６２】
単位コイル１５０の一端から他方端に向かうときの単位コイル１５０の巻回方向と、単位コイル１５１の一端から他方端に向かうときの単位コイル１５１の巻回方向とは、反対方向である。
【０１６３】
サブＤＣＤＣコンバータ３６のスイッチング素子４８は、内側壁６６よりも左外側壁６５に近い位置に配置されている。
【０１６４】
この受電装置１Ｂにおいて、受電コイル４０Ｂに電流が流れると、受電コイル４０Ｂの周囲に形成される電磁界は、単位コイル１５０および単位コイル１５１の配列方向と直交する方向に広く分布する。
【０１６５】
受電コイル４０Ｂの周囲に形成される電磁界は、車両の幅方向（左右方向）に広く分布すると共に、受電コイル４０Ｂから離れるにつれて電磁界強度が低くなるように分布する。
【０１６６】
その一方で、サブＤＣＤＣコンバータ３６のスイッチング素子４８は、左外側壁６５に近い位置に配置されており、スイッチング素子４８が強度の高い電磁界に曝されることが抑制されている。このように、本開示は、各種のコイルと、各種のフェライト板を備えた受電装置および送電装置に適用することができる。
【０１６７】
なお、今回開示された実施の形態は全ての点で例示であって制限的なものではないと考えられるべきである。本開示の範囲は上記した説明ではなく特許請求の範囲によって示され、特許請求の範囲と均等の意味および範囲内での全ての変更が含まれることが意図される。
【符号の説明】
【０１６８】
１，１Ａ，１Ｂ  受電装置、２  車両、３，３Ａ  送電装置、５  送電側電気ユニット、６  受電側電気ユニット、１０  底面、１１  フロアパネル、１２  バッテリパック、１３，１４  緩衝部材、１５  補機バッテリ、１６  バッテリケース、１７  蓄電装置、１９  電源、２０，３３，４７  整流器、２１  チョッパ回路、２２，４５  インバータ、２３，３１，３５  フィルタ、２３ａ，２９，３１ｃ，３１ｄ，３５ａ，３５ｂ，３５ｃ，３５ｄ，４１  キャパシタ、２３ｂ，２３ｃ，３１ａ，３１ｂ，３５ａ，３５ｂ  フィルタコイル、２４  送電部、２６，２７ａ，２７ｄ，４４，４８  スイッチング素子、２８  送電コイル、２８ａ，４０ａ  コイル線、３０  受電部、３２  短絡保護回路、３３ａ，３３ｄ  ダイオード、３４  平滑回路、３６  コンバータ、３８  変換器制御部、３９  保護制御部、４０，４０Ｂ  受電コイル、４２，４３  電力線、４６  変圧器、５０，１００  収容ケース、５１，１０１  コイル収容ケース、５２，１０２  金属ケース、５３，１１０  ケース本体、５３ａ，５３ｂ，１２３，１２４  開口部、５４，１１１  樹脂蓋、５５，１１２  金属蓋、６０  天板、６１，１１４  周壁、６２  前壁、６３  後壁、６４  右外側壁、６５  左外側壁、６６  内側壁、７０，１２２  金属板、７１，７１Ａ，１２０，１２０Ａ  フェライト板、７２，１２１  コイルユニット、７３，１２５  曲げ部、７４  直線部、７５，７５ａ，７５ｂ，７５ｃ，７５ｄ  角フェライト板、７６，７７，１２８  穴、７８  分割フェライト板、７９  空隙、８０ａ，８０ｂ，８０ｃ，８０ｄ，１３２ａ，１３２ｅ，１３２ｆ  切欠部、８１Ａ，８１Ｂ，１４０，１４１，１４２，１４３  側辺、１１３  底板、１１５  内壁、１１６，１１７，１１８，１１９  外側壁、１２６  長辺部、１２７  短辺部、１３０ａ，１３０ｃ，１３０ｄ  角フェライト、１３１ａ，１３１ｂ  辺フェライト、１５０，１５１  単位コイル、ＤＣＤＣ  サブ、ＥＣＵ２５  送電、ＥＣＵ３７  充電、Ｌ１，Ｌ２，Ｌ１０，Ｌ１１，Ｌ１２，Ｌ１３  仮想直線、Ｌ３，Ｌ４，Ｌ５，Ｌ６  距離、ＭＦ１，ＭＦ２  磁気経路、Ｏ１，Ｏ２，Ｏ３，Ｏ４  巻回軸線、Ｒ１，Ｒ２，Ｒ３  隣接領域。
【図１】
2018093690.tif 000003
【図２】
2018093690.tif 000004
【図３】
2018093690.tif 000005
【図４】
2018093690.tif 000006
【図５】
2018093690.tif 000007
【図６】
2018093690.tif 000008
【図７】
2018093690.tif 000009
【図８】
2018093690.tif 000010
【図９】
2018093690.tif 000011
【図１０】
2018093690.tif 000012
【図１１】
2018093690.tif 000013
【図１２】
2018093690.tif 000014